(57)【要約】      （修正有）【課題】ユーザ同士が直接会った後のユーザ間のコミュケーションを高める手段を提供する。【解決手段】記憶部と、記憶された情報を他のソフトウェアへ提供する制御部とを有する情報提供ソフトウェアであって、制御部は、第一のユーザによって指定された第一のユーザ指定情報を記憶部にユーザ指定情報記憶工程と、第一のユーザの所定範囲にいる第二のユーザを特定するユーザ特定工程と、特定された第二のユーザに対して第一のユーザ指定情報を送信することを第一のユーザに確認する確認工程と、確認工程で第一のユーザ指定情報を送信することが確認された場合に、第一のユーザと第二のユーザとが対面したことを示す情報と、第一のユーザ指定情報が送信される日時の情報と、を含む対面情報を記憶部に記憶する対面情報記憶工程と、特定された第二のユーザに対して第一のユーザ指定情報と対面情報とを送信する送信工程と、を有する。【選択図】図８
2020149653.tif 000002
【特許請求の範囲】
【請求項１】
所定の情報が記憶された記憶部と、前記記憶部に記憶された情報を他のソフトウェアへ提供する制御部とを有する情報提供ソフトウェアであって、
前記制御部は、第一のユーザによって指定された第一のユーザ指定情報を前記記憶部に記憶するユーザ指定情報記憶工程と、
前記第一のユーザの所定範囲にいる第二のユーザを特定するユーザ特定工程と、
特定された前記第二のユーザに対して前記第一のユーザ指定情報を送信することを前記第一のユーザに確認する確認工程と、
前記確認工程で前記第一のユーザ指定情報を送信することが確認された場合に、前記第一のユーザと前記第二のユーザとが対面したことを示す情報と、前記第一のユーザ指定情報が送信される日時の情報と、を含む対面情報を前記記憶部に記憶する対面情報記憶工程と、
特定された前記第二のユーザに対して前記第一のユーザ指定情報と前記対面情報とを送信する送信工程と、
を有することを特徴とする情報提供ソフトウェア。
【請求項２】
請求項１に記載の情報提供ソフトウェアにおいて、
前記対面情報には、さらに、前記情報提供ソフトウェアと通信可能な他のソフトウェアまたはハードウェアから取得した位置情報、または、前記第一のユーザ指定情報を送信することが確認された日時の情報が含まれる情報であること
を特徴とする情報提供ソフトウェア。
【請求項３】
請求項１に記載の情報提供ソフトウェアにおいて、
前記対面情報を送信する際に、前記日時の情報よりも過去に前記第一のユーザと前記第二のユーザが対面したことを示す過去の日時の情報が記憶部に記憶されている場合には、前記過去の日時の情報が有する日時から前記日時の情報が有する日時までに前記第一のユーザによって指定された他のユーザ指定情報を併せて送信すること
を特徴とする情報提供ソフトウェア。
【請求項４】
請求項１に記載の情報提供ソフトウェアにおいて、
前記対面情報を送信した後に、前記情報提供ソフトウェアの表示部には、前記第一のユーザ指定情報を表示する際に前記対面情報のうち前記対面したことを示す情報または前記日時の情報を表示することを特徴とする情報提供ソフトウェア。
【請求項５】
請求項１に記載の情報提供ソフトウェアにおいて、
前記ユーザ特定工程において、前記第一のユーザの所定範囲とは、近距離通信手段を用いて前記第二のユーザの情報を特定できる範囲であること
を特徴とする情報提供ソフトウェア。
【請求項６】
請求項５に記載の情報提供ソフトウェアにおいて、
前記近距離通信手段とは、バーコード、二次元コードもしくは情報をコード化されたマーカーを画像によって認識する手段、超音波、赤外線または無線通信手段のいずれか一つ以上を含むこと
を特徴とする情報提供ソフトウェア。
【発明の詳細な説明】
【技術分野】
【０００１】  一のユーザから他のユーザへ情報を提供する情報提供ソフトウェアに関する。
【背景技術】
【０００２】  近年、情報社会の進展に伴い、人々のコミュニケーションは多様性を有するようになった。電話に限らず、動画を用いた通話、メールを始めとするメッセージ機能等、様々な電気通信回線を用いたヴァーチャルなコミュニケーションツールが浸透している。このような状況下において、ヴァーチャルなコミュニケーションツールの利便性が向上することで、より人々が直接会うリアルなコミュニケーションの価値が高まっている。
【先行技術文献】
【特許文献】
【特許文献１】特開２００６−１７２３３３号公報
【０００３】  このようなリアルなコミュニケーションの重要性を鑑み、特許文献１（特開２００６−１７２３３３号公報）には、「マッチングシステムに所定時間毎に位置情報を算出するＧＰＳ測位部１０２と、携帯通信端末１００間で近距離通信を行い、相手の識別情報を取得する近距離通信部１０８と、通信状態からマッチングモードへ移行する所定空間を保持するマッチングモード移行条件保存部１１０Ａと、携帯通信端末の位置情報が所定空間に位置する場合にはマッチングモードへの移行と判定し、近距離通信部を起動し相手の識別情報、自己の識別情報を情報サーバに送信するマッチングモード移行制御部１１１Ｂと、携帯通信端末から送信されたプロフィール情報、マッチング条件を識別情報毎に保持するデータベースと、データベースを参照し相手のプロフィール情報に対する自己のマッチング条件に一致するマッチング度を判定し返信するマッチング判定部２０３とを備える。」ことが開示されている（要約参照）。
【発明が解決しようとする課題】
【０００４】  特許文献１の技術では、携帯通信端末間で近距離通信を行いマッチングモードへ移行した後に、近距離通信を用いて相手と自己の識別情報を情報サーバに送信し、自己のマッチング条件に一致するかを判定し、マッチング判定結果を自己の携帯通信端末に送信するものである。
つまり、自己の携帯通信端末の所定範囲内に存する不特定多数のユーザと通信を行い、自己のマッチング条件に一致するユーザを判定する。自己のマッチング条件に一致するユーザを特定することが目的であり、特定されたユーザとの関係をどのように築き上げるかについては考慮されていない。リアルなコミュニケーションにおいて、単に自己のマッチング条件に合うだけではコミュニケーションを築くのは困難であり、自己の一方的なマッチング条件に一致した相手のマッチング相手とのコミュニケーションを取ることは容易でない。
すなわち、特許文献１の従来技術は、自己のマッチング条件に一致する相手を見つけることが目的とされており、マッチングした相手とのリアルなコミュニケーションや会った後のことが考慮されていない。
本発明は、ユーザ同士が直接会った後のユーザ間のコミュケーションを高める手段を提供することを目的とする。
【課題を解決するための手段】
【０００５】  本発明に係る情報提供ソフトウェアの一例を挙げるならば、所定の情報が記憶された記憶部と、記憶部に記憶された情報を他のソフトウェアへ提供する制御部とを有する情報提供ソフトウェアであって、制御部は、第一のユーザによって指定された第一のユーザ指定情報を記憶部にユーザ指定情報記憶工程と、第一のユーザの所定範囲にいる第二のユーザを特定するユーザ特定工程と、特定された第二のユーザに対して第一のユーザ指定情報を送信することを第一のユーザに確認する確認工程と、確認工程で第一のユーザ指定情報を送信することが確認された場合に、第一のユーザと第二のユーザとが対面したことを示す情報と、第一のユーザ指定情報が送信される日時の情報と、を含む対面情報を記憶部に記憶する対面情報記憶工程と、特定された第二のユーザに対して第一のユーザ指定情報と対面情報とを送信する送信工程と、を有することを特徴とする。
【発明の効果】
【０００６】  本発明によれば、ユーザ同士が直接会った後のユーザ間のコミュケーションを高めることが可能となる。
【図面の簡単な説明】
【０００７】
【図１】本発明の情報提供ソフトウェアが携帯電話通信網を用いてサーバと通信する関係を示す図である。
【図２】本発明の情報提供ソフトウェアのユーザインターフェースの一例を示す図である。
【図３】本発明の情報提供ソフトウェアのユーザインターフェースの一例を示す図である。
【図４】本発明の情報提供ソフトウェアのユーザインターフェースの一例を示す図である。
【図５】本発明の情報提供ソフトウェアのユーザインターフェースの一例を示す図である。
【図６】本発明の情報提供ソフトウェアのユーザインターフェースの一例を示す図である。
【図７】本発明の情報提供ソフトウェアのユーザインターフェースの一例を示す図である。
【図８】本発明の情報提供ソフトウェアとサーバ間の通信手順の一例を示す図である。
【発明を実施するための形態】
【０００９】  以降、図面を用いて実施の形態及び実施例について説明するが、異なる図で同一の符号を用いる場合には同一の構成であるため説明を省略する。
図１を用いて本発明の実施の形態を説明する。サーバ１００ｓと、本発明の情報提供ソフトウェア（以下、情報提供アプリケーションとも呼ぶ。）が利用可能な通信端末１００ａと、情報提供ソフトウェアがインストールされた通信端末１００ｂとが携帯電話通信網１００ｚを介して相互に接続されている。ネットワーク１００ｚは携帯電話網や無線通信等を介してインターネットに接続されるものであれば実施できる。情報提供ソフトウェアは通信端末１００ａ、１００ｂにインストールまたはｗｅｂブラウザを介してアクセス可能であれば実施できる。これらの実施方法に限らず、その他実施できる形態であればよい。
【実施例１】
【００１０】  図２から図４を用いて本発明の情報提供ソフトウェアのうちユーザ情報を送信する機能について、図５から７を用いて情報提供ソフトウェアのうちユーザ情報を受信する機能について以下実施例を説明する。図２は、図１の通信端末１００ａにインストールされた情報提供ソフトウェア１２０ａのユーザインターフェースを示す図である。つまり、通信端末１００ａの表示部に表示される情報提供ソフトウェア１２０ａの入力及び出力画面を示す。通信端末１００ａ、１００ｂには、それぞれタッチパネル式の表示部が設けられており、当該タッチパネルは入力部でもあり、画像や文字列等を表示する出力部でもあるため、本明細書において、以下、単に、ユーザインターフェース、表示部、入力部または出力部とも呼ぶことがある。また、第一のユーザをユーザＡ、第二のユーザをユーザＢとも呼ぶ。【００１１】  情報提供ソフトウェア１２０ａを利用するユーザＡの情報を示す第一の利用ユーザ情報２１０ａと利用するユーザと情報を交換したユーザの情報を示す第二の利用ユーザ情報２１０ｂと第三の利用ユーザ情報２１０ｃが示される。さらに、第一の利用ユーザと情報交換したユーザ数が多い場合はさらに下部に他のユーザが表示され、スクロール等して他のユーザ情報を確認することができる。このとき、第二の利用ユーザ情報２１０ｂのうち左側に示される写真やアイコンをタップすると拡大した写真やアイコンを表示することができる。また、「ユーザＢ」や「……」の項目をタップするとそれぞれ、ユーザＢの詳細情報やユーザＢが予め設定したコメント等を詳細表示することができる。【００１２】  機能欄２２０には、３つのアイコンが示されており、左側にある人のアイコンをタップすると、図２に示されるユーザ情報を表示する。また、中央のマップアイコンをタップすると、図４を用いて説明するが、図４に示す地図機能を表示する。また、右側のその他の機能を有するアイコンを配置することができる。
ユーザＡが第一の利用ユーザ情報２１０ａをタップすることで、図３の画面に遷移することができる。図３は、ユーザＡが本発明の情報提供ソフトウェアを利用する他のユーザへ送信した情報を設定するユーザインターフェースを示す図である。【００１３】  図３には、ユーザＡが他のユーザへ送信を希望する第一のユーザ指定情報３２０ａ，３２０ｂ，３２０ｃが示される。また、これらの第一のユーザ指定情報３２０ａ，３２０ｂ，３２０ｃを指定した日である第一のユーザ指定情報を指定した日時情報３１０ａが示される。次に、図３下部には、過去にユーザＡが他のユーザへ送信を希望する過去の第一のユーザ指定情報３２０ｄを指定した過去に指定した日時情報３１０ｂが示される。【００１４】  また、第一のユーザ指定情報３２０ａ，３２０ｂ，３２０ｃはそれぞれ、写真、グリーティングカード、ｗｅｂのＵＲＬとその一部のスクリーンショットまたはＵＲＬのアクセス先のｗｅｂコンテンツの一部を表示したものである。これらに例に限らず、動画、音声やテキストデータ等の電子化された情報であれば指定することができる。これら第一のユーザ指定情報３２０ａ，３２０ｂ，３２０ｃは、ユーザＡが指定した日時情報３１０ａに示される日時に伝えたいことを予め登録されたものである。他のユーザに直接会った際に、ユーザＡがこれらの情報を他のユーザに提供することで、ユーザＡと会った他者がこれらのコンテンツを話題とすることができ、実際に会った後のコミュニケーションを高めることができる。【００１５】  上記の構成を言い換えると、ユーザＡが他者へ伝えたい第一のユーザ指定情報３２０ａ，３２０ｂ，３２０ｃを登録し、その登録日として第一のユーザ指定情報指定した日時情報３１０ａがまとめて表示されている。また、過去の情報は過去に指定した日時情報３１０ｂの欄に表示されている。ユーザＡが今伝えたいことが日時情報３１０ａの欄に、過去伝えたかったことが過去に指定した日時情報３１０ｂの欄に表示されることから、ユーザＡはこれから他のユーザに話したいこと、過去に話したことまたは話したかったことがまとめて表示できることとなり、ユーザＡがから他のユーザに向けたコミュニケーションを活性化させることができる。また、過去に話した情報をまとめて表示することで、過去に話した話題を重複して提供することを防止できるため、さらにユーザＡと他のユーザとのコミュニケーション効率が向上する。【００１６】  次に、図４を用いてユーザＢの位置を検出する方法を説明する。図４は、図２に示されるマップアイコンをタップした際に遷移される画面である。また、マップアイコンをタッチせずとも、図１に示される通信端末１００ａ、１００ｂがそれぞれ位置情報を取得できる端末であって、一方の通信端末の所定範囲内に他方の通信端末が存する場合には、他の画面から割り込むように図４に示される画面を表示することができる。
図４には上部側には十字路の地図４００が示される。地図４００条には、ユーザＡの位置を示すピンのアイコン４１０ａとピンのアイコン４１０ａから所定の距離を示す破線４２０と破線４２０内に位置するユーザＢの位置を示すピンのアイコン４１０ｂが示される。破線４２０は、情報提供ソフトウェア１２０ａを利用するユーザＡの所定範囲内にユーザＢがいることが示されている。【００１７】  位置情報の特定誤差を考慮しつつ破線４２０の所定範囲を小さく設定するとユーザＡとユーザＢは直接対面して会っている状態を示す。このとき、ユーザＡはユーザＢに対して、図３で指定した第一のユーザ指定情報３２０ａ，３２０ｂ，３２０ｃを送信することを送信確認部４３０で送信を許可することができる。
ユーザＡの送信確認部４３０の「ＹＥＳ」ボタンをタップすることで、ユーザＡから所定範囲にいるユーザＢへ第一のユーザ指定情報３２０ａ等を送信する。これによって、ユーザＡが直接会ったユーザＢへ、ユーザＡが今伝えたいことを送信し、受信したユーザＢからその話題の質問をすることができるため、円滑なコミュニケーションを図ることができる。詳細な通信処理の一例は図８を用いて後述する。【００１８】  次に、図５は、ユーザＢが利用する情報提供ソフトウェア１２０ｂについて説明する。情報提供ソフトウェア１２０ｂは図２から図４で説明した機能も有するが、ユーザＢがユーザＡから第一のユーザ指定情報３２０ａ，３２０ｂ，３２０ｃを受信する処理について図５を用いて説明する。
情報提供ソフトウェア１２０ｂを利用するユーザＢの情報が５１０ｂに示される。この画面は図４で説明したようにユーザＡとユーザＢが所定範囲内にいるときに表示されるものである。また、ユーザ指定情報受信インターフェースである受信確認部５３０には、ユーザＡのアイコン、ユーザＡの氏名や名称、ユーザＡのコメントが示される。【００１９】  さらに、ユーザＡから送信されようとしている第一のユーザ指定情報を受信するか否かを確認する受信確認部５３０が表示され、「ＹＥＳ」をタップすることで、ユーザＢは第一のユーザ指定情報２１０ａを受信することができる。【００２０】  このとき、詳細は図８を用いて説明するが、単に第一のユーザ指定情報３２０ａ，３２０ｂ，３２０ｃだけでなく、ユーザＡとユーザＢが対面したことを示す日時の情報と、第一のユーザ指定情報３２０ａ，３２０ｂ，３２０ｃが送信される日時の情報を併せて受信する。対面したことを示す日時の情報と、送信される日時の情報をまとめて対面情報と呼ぶ。【００２１】  ユーザＡの情報提供ソフトウェア１２０ａは、ユーザＢが受信確認部５３０の「ＹＥＳ」ボタンをタップした後に、そのタップした情報を受信し、対面情報を生成し、ユーザＢの情報提供ソフトウェア１２０ｂに対して予め指定された第一のユーザ指定情報３２０ａ、３２０ｂ、３２０ｃと、生成された対面情報とを送信する。【００２２】  受信確認部５３０の「ＹＥＳ」または「ＮＯ」をユーザＢがタップする確認処理によって、ユーザＡと他のユーザを間違わないようにすることができる。つまり、ユーザＢは直接対面しているユーザＡの情報であることを確認することができ、誤って第三者の情報を受け取らないようにすることができる。これにより悪意あるユーザが無差別に第三者に画像やＵＲＬを送信し、他のユーザが受信することを防止できる。【００２３】  次に、図６を用いてユーザＢが受信した対面情報と、第一のユーザ指定情報３２０ａ、３２０ｂ、３２０ｃを表示する画面について説明する。
図６には、上から順に、ユーザＢが使用する情報提供ソフトウェア１２０ｂの上部にはユーザＢに関する第二の利用ユーザ情報２１０ｂ、ユーザＡに関する第一の利用ユーザ情報２１０ａ、対面した日時の情報を含む対面情報３１５ｆ、第一のユーザ指定情報３２０ａ，３２０ｂ，３２０ｃが表示されている。【００２４】  この画面はユーザＢが図５に示す受信確認部５３０の「ＹＥＳ」をタップした後に、ユーザＡが使用する情報提供ソフトウェア１２０ａから送信された情報である。つまり、受信確認部５３０の「ＹＥＳ」の確認作業により、ユーザＡが伝えたいと思っていることまたはユーザＢと話したいことをユーザＢが利用する情報提供ソフトウェア１２０ｂ上に配信されるということである。【００２５】  ここで、第一のユーザ指定情報３２０ａ，３２０ｂ，３２０ｃと併せて対面情報３１５ｆが表示されている。この対面情報３１５ｆは、対面したことを示す日時の情報と、送信される日時の情報を総称するものであるが、いずれか一方の日時の情報が示されていればよい。【００２６】  対面したことを示す情報は受信確認部５３０の「ＹＥＳ」をタップした情報を情報提供ソフトウェア１２０ａが受信した場合を基準として生成してもよい。この場合は、情報を受信する側を基準として会ったことを確認したといえる。また、送信される日時であれば、ユーザＡが送信を希望または実際に送信するときを基準に送信される日時の情報を生成することができる。この場合は、送信側を基準とした時間設定が可能であるため、送信を失敗した場合であっても、送信側には送信しようとした時間が残っているため、追って第一のユーザ指定情報３２０ａ等を送信したとしても送信を失敗した日時情報を読み込むことで、ユーザＡとユーザＢが会った日時を特定することができる。【００２７】  これにより、ユーザＡが話したいコンテンツとユーザＡから情報を直接受け取った日時情報についてユーザＢが使用する情報提供ソフトウェア１２０ｂに記憶され表示される。よって、ユーザＢはユーザＡが話したことを知ることができ、ユーザＢとユーザＡが直接対面する際に、これらのコンテンツ３２０ａ、３２０ｂ、３２０ｃをきっかけにコミュニケーションを向上させることができる。【００２８】  他には、次回会う際に、ユーザＢは対面情報３１５ｆを確認してからユーザＡに会うことで、過去に会った日時とユーザＡと話した内容を思い出すことが可能となり、前回会った話を簡単に話すことができる。また、過去に会った際に話した内容を予め確認できるため、重複した話をすることなく、他の話題から話を始めることができるため、効率的にコミュニケーションを取ることが可能となる。【００２９】  次に、図７を用いてユーザＡがユーザＣと直接対面したことを確認するユーザインターフェースについて説明する。図７には、情報提供ソフトウェア１２０ａが示され、第一の利用ユーザ情報２１０ａの下欄に第三の利用ユーザ情報２１０ｃが表示されている。【００３０】  第三の利用ユーザ情報２１０ｃの下部には、対面情報３１５ｇと併せて第一のユーザ指定情報３２０ｄが表示されている。この対面情報３１５ｇは前回ユーザＡとユーザＣが直接会った日を示しており、第一のユーザ指定情報３２���ｄは対面情報３１５ｇに示される日以前にユーザＡがユーザＣへ伝えたいコンテンツを指定していたことを示すものである。また、更に下部には、対面情報３１５ｈと併せて第一のユーザ指定情報３２０ｅが表示されている。この対面情報３１５ｈは対面情報３１５ｇに示される日以前にユーザＡとユーザＣが会った日を示しており、第一のユーザ指定情報３２０ｅは対面情報３１５ｈの日以前にユーザＡがユーザＣへ伝えたいコンテンツを指定していたことを示すものである。【００３１】  さらに、変形例として、日時の情報よりも過去に第一のユーザと第二のユーザが対面したことを示す過去の日時の情報が該情報提供ソフトウェアの記憶部に記憶されている場合には、過去の日時の情報が有する日時から日時の情報が有する日時までに第一のユーザによって指定された他のユーザ指定情報を併せて送信することもできる。この場合は、対面情報３１５ｇ、３１５ｈとは異なる表示で、第一のユーザが伝えたいことがあったことを示すこともできる。つまり、過去に対面した日と今対面した日との間に第一のユーザが伝えたい情報を指定していた場合にはその情報を対面した日とは別の表現で、第二のユーザの情報提供ソフトウェア１２０ｂに表示できるということである。これは、会っていない日に第一のユーザが伝えたかった話題を第二のユーザが知ることができ、コミュニケーションの活性化が図れる。【００３２】  これらの対面情報３１５ｇ、３１５ｈと併せて第一のユーザ指定情報３２０ｄ、３２０ｅを表示することにより、ユーザＡはユーザＣに過去に会った際の話題を確認することが可能となる。先に述べたように前回会った際の話題からコミュニケーションを取ることも可能であり、また、過去の話題と重複しないようにコミュニケーションを取ることが可能となる。また、リアルなコミュニケーションをさらに効率よく自己またはコミュニケーション相手の双方が過去に会った情報を持つことで、前回会ったこと、話したことそのもの記録または話した内容を記憶から呼び覚ますことが可能となる。これにより、本発明に係る情報提供ソフトの利用者はこれまでにない円滑なコミュニケーションを図ることができる。ひいては、従来にない新しいコミュニケーションの形を実現することができる。【００３３】  次に、図８を用いて第一の情報提供ソフトウェア１２０ａがサーバ１００ｚを介して第二の情報提供ソフトウェア１２０ｂと通信する手順について説明する。矢印の根本部分が送信元であり、矢印の先の部分が受信元であることを示す。図面の説明は送信元と他の構成の符号について省略して記載しているため、以下、送信元と符号を追加して補足して説明する。【００３４】  予め、第一の情報提供ソフトウェア１２０ａはユーザＡに設定された第一のユーザ指定情報（３２０ａ等）をサーバ１００ｚへ送信する（Ｓ１０１０）。次に、第一の情報提供ソフトウェア１２０ａに紐付けられた通信端末１００ａの位置情報をサーバ１００ｚへ送信する（Ｓ１０２０）。このとき、位置情報は通信端末１００ａのＧＰＳ（Ｇｌｏｂａｌ  Ｐｏｓｉｔｉｏｎｉｎｇ  Ｓｙｓｔｅｍ）、ＧＮＳＳ（Ｇｌｏｂａｌ  Ｎａｖｉｇａｔｉｏｎ  Ｓａｔｅｌｌｉｔｅ  Ｓｙｓｔｅｍ）、携帯電話通信網の基地局との���線通信等の当該通信端末１００ａの位置情報を特定または別途入力手段によって入力できるものであればよい。また、これらの組み合わせであってもよい。第二の情報提供ソフトウェア１２０ｂに紐付けられた第二の通信端末１００ｂの位置情報をサーバ１００ｚへ送信する（Ｓ１０３０）。なお、Ｓ１０２０とＳ１０３０は順序が逆でも実施でき、次の工程のＳ１０４０以前に第一の情報提供ソフトウェア１２０ａと第二の情報提供ソフトウェア１２０ｂが搭載された通信端末１００ａ、１００ｂの位置が特定されていればよい。【００３５】  次に、サーバ１００ｚは、第二の通信端末１００ｂが第一の通信端末１００ａの所定範囲にあることを第一の情報提供ソフトウェア１２０ａに送信する（Ｓ１０４０）。サーバ１００ｚは、第一の情報提供ソフトウェア１２０ａのリクエストを受けて第一の情報提供ソフトウェア１００ａの通信端末１００ａの所定範囲内に情報提供ソフトウェア１２０ｂの通信端末１００ｂが存在することを通知してもよい。つまり、プル型の情報配信を行うことができる。これにより、第一の情報提供ソフトウェア１００ａのユーザＡは第二の情報提供ソフトウェア１００ａのユーザＢと直接対面したこととなり、ユーザＡは直接対面するユーザＢへ第一の指定情報３２０ａ等を送信することが可能となる。また、情報提供ソフトウェア１２０ａのリクエストがなくとも、通信端末１００ａと通信端末１００ｂの位置情報をサーバ側で有している場合には、いずれか一方を基準として他方が所定範囲内に存在する場合には、プッシュ型の情報配信を行うこともできる。【００３６】  ユーザＡが直接対面するユーザＢへ第一のユーザ指定情報３２０ａ等の送信を希望する情報をサーバへ送信する（Ｓ１０５０）。直接対面することで、ユーザＡが伝えたいまたは話したいと思っているｗｅｂの情報や写真等を眼の前の相手に送信することができるため、誤送信を防止できる。【００３７】  次に、ユーザＡがユーザＢへ第一のユーザ指定情報３２０ａ等の送信を希望している情報を第二の情報提供ソフトウェアへ送信する（Ｓ１０６０）。すなわち、ユーザＢにユーザＡの情報を受信するか否かを確認する工程である。確認を行うことにより、誤送信を防止することができる。この工程は、図５に示す受信確認部５３０の「ＹＥＳ」または「ＮＯ」のボタンである。このとき、受信確認部５３０は、ｗｅｂの一部や写真の一部またはぼかし等の加工を行ったものを見せることで、ユーザＢが受信すべきか否かを判断する機会を提供することができる。この場合は、サーバ１００ｚ内に事前に第一の指定情報３２０ａ等を予め保存しておき部でぼかし等の加工を行うことで実施できる。【００３８】  その後、ユーザＢが第一のユーザ指定情報３２０ａ等の受信を希望する情報をサーバ１００ｚへ送信する（Ｓ１０７０）。つまり、ユーザＡの送信要求に対して、ユーザＢが受信を許可する情報を返す工程である。【００３９】  そして、サーバ１００ｚはユーザＢが第一のユーザ指定情報３２０ａ等の受信を希望する情報を情報提供ソフトウェア１２０ａへ送信する（Ｓ１０８０）。【００４０】  ユーザＢが第一のユーザ指定情報３２０ａ等の受信を希望する情報を受信した情報提供ソフトウェア１２���ａは、図６で示す対面情報３１５ｆを生成する。生成された対面情報３１５ｆと、第一のユーザ指定情報３２０ａ等が送信される日時と、送信すべき第一のユーザ指定情報３２０ａ等を特定する情報をサーバ１００ｚへ送信する（Ｓ１０９０）。【００４１】  なお、Ｓ１０１０で事前に第一のユーザ指定情報３２０ａ等を情報提供ソフトウェア１００ａがサーバ１００ｚへ送信し、サーバ１００ｚに第一のユーザ指定情報３２０ａ等が記憶されている場合には、後述するＳ１０９０にて、情報提供００ａは第一のユーザ指定情報３２０ａ等をサーバ１００ｚへの送信が不要とすることができる。つまり、情報提供ソフトウェア１００ａはサーバ１００ｚに対して、情報提供ソフトウェア１００ｂへ送信すべき第一の情報提供ソフトウェア３２０ａを送信する指示を送るだけで、Ｓ１１００にて送信すべき対象の情報を送信することができる。【００４２】  この場合は、Ｓ１０９０の工程で送信する情報量が小さくなるため、通信エラーを防止することができる。また、処理速度を向上させることができるだけでなく送信待ちの時間も小さくすることができるため、ユーザＢがユーザＡの情報をより早く知ることができる。ひいては、ユーザ間のコミュニケーションをより活発にするこができる。【００４３】  つまり、上記説明した工程とインターフェースの動作をまとめると、情報提供ソフトウェアの制御部は、第一のユーザによって指定された第一のユーザ指定情報を記憶部に記憶するユーザ指定情報記憶工程と、第一のユーザの所定範囲にいる第二のユーザを特定するユーザ特定工程と、特定された第二のユーザに対して第一のユーザ指定情報を送信することを第一のユーザに確認する確認工程と、確認工程で第一のユーザ指定情報を送信することが確認された場合に、第一のユーザと第二のユーザとが対面したことを示す情報と、第一のユーザ指定情報が送信される日時の情報と、を含む対面情報を記憶部に記憶する対面情報記憶工程と、特定された第二のユーザに対して第一のユーザ指定情報と対面情報とを送信する送信工程と、を行うものである。【００４４】  コミュニケーションとは、当事者の一方のみが他方へ情報開示する、または、一方のみが他方の情報を取得するものではなく、双方が互いに自己の情報を開示することによって成立するものである。そのため、自己が開示した情報を他者へ開示することが重要である。しかし、従来技術は他者の情報を一方的に自己が取得することが考えられていた。一方、本発明は、相互に自己を開示することで従来技術とは異なる情報開示手段を提供するものである。これにより、リアルなコミュニケーションを取ることができ、他者との信頼関係を構築できる。つまり、従来技術ではなし得なかったリアルなコミュニケーションを加速または強化させることが可能となる。
【実施例２】
【００４５】  情報提供ソフトウェア１２０ａがインストールされた通信端末１００ａを利用する第一のユーザが、情報提供ソフトウェア１２０ｂがインストールされた通信端末１００ｂを利用する第二のユーザへ対して、第一のユーザ指定情報３２０ａ等を送信する際の実施例について説明する。【００４６】  上記説明した実施例は、ユーザＡを代表例とする第一のユーザからユーザＢを代表例とする第二のユーザへ第一のユーザ指定情報３２０ａを送信することについて説明したが、Ｓ１０５０からＳ１１００を情報提供ソフトウェア１２０ｂから情報提供ソフトウェア１２０ａへ送信する工程を行うことで、情報を送信することとなり、結果、情報を交換することができる。【００４７】  また、Ｓ１０５０からＳ１１００において、第一のユーザから第二のユーザへ送信するだけでなく、相互に情報を交換するように読み替えることができる。この場合は、送信工程を２回繰り返すことなく、情報を交換することについて第二のユーザが確認した後に、Ｓ１１００にて、サーバ１００ｚが情報提供ソフトウェア１２０ａに第二のユーザ指定情報（図示なし）を、情報提供ソフトウェア１２０ｂに第一のユーザ指定情報３２０ａ等を相互に送信することで情報交換が可能となる。この場合は、確認工程が１回となるため、コミュニケーションが容易となる。【００４８】  実施例１では、通信端末１００ａと１００ｂの位置情報や２次元コードを使用する方法について説明したが、さらに直接対面したことを確認しつつ、予期しない第三者へ情報を送信しないようにする実施例について説明する。【００４９】  位置情報や２次元コードの読み込み等のいずれか一方を利用する方法では、例えば、位置情報の偽装や二次元コードをメールやメッセージ交換アプリケーション等を用いて直接対面していないユーザ間で情報を送信することができる場合がある。【００５０】  位置情報の所定範囲内でかつ２次元コードの読み込み等の物理的に近づいて通信する手段を用いることにより、第三者との通信や不特定多数、所定範囲該外のユーザとの通信を防止することができる。
【実施例３】
【００５１】  実施例３は第一のユーザを自然人ではなく、ビーコンのような所定期間内に情報を配信することができる機能について説明する。ここで、第一のユーザ指定情報を、例えば、ビーコンの周囲で行われるイベントの情報や、周囲の環境の情報またはクーポン券のような情報を予め指定することができる。この場合、図８に示したＳ１０５０の第一のユーザ指定情報を所定範囲内の第二のユーザに自動的に配信を希望することができる。これにより、イベントや店舗等に近づいた第二のユーザに対して、情報を提供することができる。【００５２】  上記した実施例の各構成は本発明の一例であり、相互に一部を変更した場合であっても、本発明の技術的思想を逸脱しない範囲で実施することができる。
【符号の説明】１２０ａ、１２０ｂ…情報提供ソフトウェア、２１０ａ…第一の利用ユーザ情報、２１０ｂ…第二の利用ユーザ情報、２１０ｃ…第三の利用ユーザ情報、３１０ａ…日時情報、３２０ａ…過去に指定した日時情報、３２０ａ、３２０ｂ、３２０ｃ…第一のユーザ指定情報
【図１】
2020149653.tif 000003
【図２】
2020149653.tif 000004
【図３】
2020149653.tif 000005
【図４】
2020149653.tif 000006
【図５】
2020149653.tif 000007
【図６】
2020149653.tif 000008
【図７】
2020149653.tif 000009
【図８】
2020149653.tif 000010